(57)【特許請求の範囲】
【請求項１】
コンクリート基礎の床下換気口周縁を覆う枠体部と換気口の開口部を閉塞する部とで構成する防水機能付枠体において、コンクリート基礎の床下換気口周縁を覆う枠体の基板には軟質なゴム又は軟質な樹脂を着設させて、更に前記換気口と対向する開口部位にも前記基板で閉塞して防水機能付枠体を構成し、該防水機能付枠体を床下換気口部面に密着固定さすために、換気口部内に支持棒として丸棒をコンクリートに固定さすか、又は、着脱可能に長さ調整機能付支持棒を該換気口部に取り付けるかして、該支持棒にＵ字状の係止部を有する係止機能付連結ボルトを係止させ、該係止機能付連結ボルトの一端を前記防水機能付枠体に貫通させて更に当部に防水機能を施してナット等で締め付けることを特徴とした止水機能付き床下換気口部品。
【請求項２】
コンクリート基礎の床下換気口周縁を覆う枠体部と換気口の開口部を閉塞する部とで構成する防水機能付枠体において、
コンクリート基礎の床下換気口周縁を覆う枠体の基板には軟質なゴム又は軟質な樹脂を波状に着設させるか、
または、コンクリート基礎の床下換気口周縁を覆う枠体の基板を波状に成形し、更に、軟質なゴム又は軟質な樹脂を片面又は両面を波状に成形して、前記基板の波状部に前記波状のゴム又は樹脂を嵌着させて、
更に,前記換気口と対向する開口部位にも前記基板で閉塞して防水機能付枠体を構成し、該防水機能付枠体を床下換気口部面に密着固定さすために、換気口部内に支持棒として丸棒をコンクリートに固定さすか、又は、着脱可能に長さ調整機能付支持棒を該換気口部に取り付けるかして、該支持棒にＵ字状の係止部を有する係止機能付連結ボルトを係止させ、該係止機能付連結ボルトの一端を前記防水機能付枠体に貫通させて更に当部に防水機能を施してナット等で締め付けることを特徴とした止水機能付き床下換気口部品。
【請求項３】
コンクリート基礎の換気口と対向する部位を開口した請求項１又は２記載の防水機能付枠体において、該開口部の外周部に突起片を設け、該突起片に防水機能付き蓋を嵌合することによって水の侵入を防止することを特徴とした止水機能付き床下換気口部品。
【請求項４】
コンクリート基礎の換気口と対向する部位を開口した請求項１又は２記載の防水機能付枠体において、該開口部の外周部に円形状の突起片を設け、該突起片に施したネジと蓋に施したネジとで螺合することによって水の侵入を防止することを特徴とした止水機能付き床下換気口部品。
【請求項５】
コンクリート基礎の床下換気口と対向する部位を開口した請求項１又は２記載の防水機能付枠体の開口部を、止水板を引き戸の如く防水機能を施した溝内を摺動させて開閉さす構造にし、前記防水機能付枠体の裏面に、両端を開口した筒体の一端に形成した鍔体を固定し、更に、前記筒体の他端部をコンクリート基礎換気口内にコンクリートでシール固定することによって水の侵入を防止することを特徴とした止水機能付き床下換気口部品。
【請求項６】
請求項３又は４記載の止水機能付き床下換気口部品の防水機能付枠体の裏面に、両端を開口した筒体の一端に形成した鍔体を固定し、更に、前記筒体の他端部をコンクリート基礎換気口内にコンクリートでシール固定することによって水の侵入を防止することを特徴とした止水機能付き床下換気口部品。
【請求項７】
請求項６記載の両端を開口した筒体の先端部に請求項３又は４記載のような突起片を形成し、該突起片に防水機能付き蓋を嵌合するか又は螺合して水の侵入を防止することを特徴とした止水機能付き床下換気口部品。
【請求項８】
請求項５乃至７記載のいずれか１項記載の筒体を内筒と外筒との二重構造にしてスライドさせるか又は蛇腹構造にして、該筒体をコンクリ−ト基礎幅に調整可能にしたことを特徴とした止水機能付き床下換気口部品。
【請求項９】
請求項５乃至８記載のいずれか１項記載の筒体が外面周状に突起を設けたことを特徴とした止水機能付き床下換気口部品。
【発明の詳細な説明】
【技術分野】
【０００１】
本発明は、一般住宅の基礎に設置してある床下換気口等の開口部から浸水を防止する止水機能付き床下換気口部品に関するものである。
【背景技術】
【０００２】
昨今、異常気象の現れか、集中豪雨や強力な台風によって、今まで経験したことのない災害が世界各国で発生し、床下、床上浸水が報道されている。平成１６年７月１８日未明からの福井豪雨では、３、４３３世帯が床上浸水、８，０７１世帯が床下浸水の被害が発生した。更に、平成１６年１０月２０日から２２日に日本を縦断した台風２３号では、福井県では床上浸水が２５世帯、床下浸水が２８８世帯発生し、更に、兵庫県豊岡地区では８千世帯が水につかったと報道されている。
上述の被害は一例であるが、床下浸水は床上の何倍かが発生している。
しかし、一旦、床下に水が入れば、床上浸水と同様、床板を取り外し、床を支える土台や土間等を乾燥させ、白蟻対策や消毒等、復旧工事に膨大な労働と費用が掛かかるのが現状である。
しかしながら、豪雨等の水害対策と言えば、河川の決壊や排水及び地下道等の浸水対策が主体であって、一般住宅の換気口においては、通気量をコントロールする換気口部品は提案されていても、床下浸水の防止対策については誰しもが要望されているにも係わらず具体的な提言や示唆が見当たらない。
【０００３】
【特許文献１】特開２００２−２１４２６号公報
【発明の開示】
【発明が解決しようとする課題】
【０００４】
そこで、本発明の課題は、住宅の基礎に設けられている床下換気口等の開口部から洪水時に水が浸入しない止水機能付き床下換気口部品を提供することによって、集中豪雨時に発生する床下浸水を未然に防止し、甚大な被害を無くすものである。
【課題を解決するための手段】
【０００５】
請求項１及び２記載の本発明は、建物のコンクリート基礎に設けてある床下換気口等の開口部を、基板に少なくともコンクリート面と接する部位に軟質なゴム又は軟質な樹脂を着設させて枠体を形成し、更に該枠体の前記換気口と対向する開口部位にも前記基板で閉塞して防水機能付枠体を構成した。該防水機能付枠体を前記換気口部に密着させて閉塞するものである。
前記軟質なゴム又は硬化しない軟質な樹脂を図１に示すように、全面に平坦に着設してもよいが、樹脂面と基礎のコンクリート面との密着度を局部的に高め水の浸透性を効果的に無くす手段として図２に示すように全面を波状に凹凸を成形したものや、図示しないが平坦部と波状部とを組合せて着設した防水機能付枠体とがある。波の形状は小さくして凹凸が多い方が効果的である。
本発明でいう着設とは、基板とゴムや樹脂等を強く密着させることで、その手段としては接着剤や熱融着等で接着することや、ビス止め又は嵌着させ固定することをいう。
基板に着設さす樹脂等の面積は、換気口の開口部を除いたコンクリート基礎と接触する部分にのみを着設すればよい。
又、図３に示すように基板にも波状に凹凸を設け、該凹凸部に前記軟質なゴム又は硬化しない軟質な樹脂を着設させて、基板とゴムや樹脂等との密着性を局部的に高め水の浸透性を無くす手段を講じた防水機能付枠体も提供する。
【０００６】
基板の材質は、木製、硬化樹脂、スチール製等で変形（歪むこと）しない強固な素材であればよい。
基板に着設さすゴムや樹脂の材質は、コンクリート面になじんで密着する軟質なゴムや樹脂が要求される。
又、該防水機能付枠体を換気口部に取り付ける際に、ゴム又は樹脂の表面に貼着剤等を塗布することによって、密着性を向上させ水の浸入を阻止する手段を講じてもよい。
【０００７】
前記防水機能付枠体を基礎の開口部（換気口等）に密着させて固定さす手段としては、
１・    請求項１，２記載の発明ように、図４の如く基板の中央部にボルト貫通穴を設  けた防水機能付枠体を基礎に密着させて固定さす。その手段として、換気口の開口部に  支持棒として丸棒を取り付けるか、又は、図５に示すような長さ調整機能付支持棒（９  ）を開口部に取り付け、該支持棒にＵ字状の係止部を有する係止機能付連結ボルト（１  ０）によって図６のようにコンクリート基礎換気口に密着固定さす手段がある。
更に、上記防水機能付枠体をボルト等で密着固定する際に、図示のようにゴムパッキン（５）や座金等を穴（４）部に当てボルト部にシールテープ等を施しナット締めして水の浸入を阻止する。
又、出来れば、穴部や基板とコンクリートの隙間にシリコーン性シーリング材等でシールすれば水の浸入が阻止でき、より完全なものになる。
２・請求項１，２記載以外の手段として参考用に、防水機能付枠体にボルト等の貫通用穴を複数個設け、図１８のように、  開口部周辺のコンクリート基礎にボルト等を複数個打設して、図１、図２、図３に示す防水機能付枠体を密着させてもよい。
（尚、コンクリート基礎に打設するボルト等とはアンカーボルトとかアンカーねじ等をいう。）
【０００８】
請求項３記載の本発明は、図７〜１０に示すように、床下換気口の周辺を覆う防水機能付枠体の開口部の外周に突起片を設け、該突起片に防水機能付き蓋を嵌合させて水の侵入を防止する止水機能付き床下換気口部品である。
本発明でいう嵌合とは、図示のように突起片と蓋とをはめ合わせて水が侵入しないように密着さすことで、ネジを用いてはめ合わせる螺合とは相違する。
尚、蓋を突起片に嵌合させて水の侵入を防止する手段は実施例で詳細に説明するように多くの構造がある。しかし、これらの各構造は、換気口の形状に応じて適宜に選択すればよい。
【０００９】
また、請求項３記載の発明の止水機能付き床下換気口部品に後述する虫の侵入を防ぐ金網を取り付けることも可能である。
更に、嵌合した蓋には開ける際に使用する摘部（１５７）を設けると開け易すく便利である。
【００１０】
請求項４記載の本発明は、図１１に示すように、床下換気口の周辺を覆う防水機能付枠体の開口部の外周に突起片を設け、突起片に施したネジと蓋に施したネジとで螺合し水の侵入を防止する止水機能付き床下換気口部品である。
尚、図１１は、突起片の先端に外ネジを施し、蓋に内ネジを施して、シールテープを巻き付ける構造である。施すネジには内ネジ、外ネジとがあるが適宜に選択すればよい。
又、虫の侵入を防ぐ金網を取り付けることも可能である。
【００１１】
請求項５記載の本発明の止水機能付き床下換気口部品は、図１２に示す如く防水機能付枠体の開口部を、止水板を引き戸の如く枠体の溝内を摺動させて床下換気口を開閉するものである。前記枠体の溝内にはゴムパッキン等で防水機能を持たせてある。
該止水機能付き床下換気口部品の裏面に、両端を開口した筒体を取り付けた止水機能付き床下換気口部品である。この筒体は出来れば新築基礎工事の際に設置する方が好ましい。
又、防水機能付枠体は点検や補修する際、筒体から取り外し可能にすると便利である。
詳細な構造は図示の如く、防水機能付枠体は基礎の開口部の２倍以上にし、止水板も開口部より２倍以上幾分長くし取手等を設けた。
又、溝の防水機能とは、溝内にゴムパッキンを内装させてもよいし、溝の内面を可能な限り狭く精密仕上げし止水板の周辺にゴムパッキンを装着してもよい。
尚、虫の侵入を防ぐ金網等を前記枠体に取り付けることも可能である。
【００１２】
請求項６記載の本発明の一例として、請求項３又は４記載の止水機能付き床下換気口部品の防水機能付枠体に、図１４のように両端を開口した筒体を取り付けた止水機能付き床下換気口部品である。この筒体は出来れば新築基礎工事の際に設置する方が好ましい。
又、防水機能付枠体は点検や補修する際、筒体から取り外し可能にすると便利である。
【００１３】
上述のように請求項３及び４記載の本発明は、防水機能付枠体をコンクリート基礎に密着させ、該枠の開口部（換気口部と対向する。）に蓋等を装着して水の侵入を防止する手段である。
該枠体を床下換気口外周縁に密着さす手段には下記の方法がある。
（１）  防水機能付枠体の裏面に請求項１〜２項記載のように軟質なゴム又は軟質な樹脂を着設するか、又は、通常のゴムパッキンを当て、該防水機能付枠体の面と床下換気口のコンクリート基礎面とをアンカボルト等で締め付け密着させて水の侵入を防止する手段。
（２）  防水機能付枠体をコンクリート内に埋め込む手段。
埋め込む手段の場合には、防水機能付枠体を数ｃｍ程度の厚みにして該枠体のコンクリート基礎に埋め込むか、又は、枠体の裏面（コンクリートと接する面）外周を突片で囲み、該突片と枠体の面までをコンクリート基礎に埋め込むか、又は、簡略な方法として、周囲を突片で囲むのではなく、間隔おいて突片を立設して、該突片と枠体の面までをコンクリート基礎に埋め込み水の侵入を防止する手段である。
【００１４】
請求項５及び６記載の本発明は、図１２、１４のように、筒体の先端に鍔体を設け、該鍔体に防水機能付枠体を取り付ける、更に、前記筒体の他端部をコンクリート基礎換気口内にコンクリートでシール固定することによって水の侵入を防止すること手段ある。
【００１５】
請求項７記載の本発明は、両端が開放した筒体を床下換気口部内に図のように埋設し、該筒体の先端を請求項３，４記載のような突起片にして、該突起片に防水機能付き蓋を嵌合させるか又は螺合させて床下換気口から水の流入を遮断するものである。
この場合、図７〜１０に示すような突起片を図１５のように筒の先端部を形成するか、或いは図１６に示すように筒体の先端に鍔部を設けてその先端の突起片を設けて、該突起片に蓋を嵌合するか螺合する手段とがある。
しかし、請求項３，４記載の発明の実施例で例示した図７〜１１の突起片と蓋との構造、機能を請求項３，４記載の発明だけに特定するものではなく、又、請求項６及び７記載の発明の実施例で例示する図１４、１５、１６の筒体の先端と蓋との構造、機能を請求項５，及び７発明だけに特定するものではない。
即ち、これらの構造は、突起片や筒の先端に蓋が嵌合して水の侵入を遮断する構造であれば全て本発明の嵌合する蓋に該当する。更に、現在、容器を密閉さす多くの蓋が提案されているが、これらの蓋をも本発明の課題、手段に適合するものであれば全て本発明との利用関係にある。
更に、図示のようにネジを施した筒体の鍔面（１４４）と蓋と接する箇所にゴムパッキン（１６）を設けシール性を向上させる手段を講じてもよい。
【００１６】
請求項８記載の本発明の筒体はコンクリート基礎幅に応じて長さ調整可能にしたものである。その構造は図１５，１６、１７に示す如く内筒と外筒との二重構造にしたものであるが、図示しないが長さ方向や幅方向を蛇腹構造にすれば筒体の長さや幅の調整可能で便利である。
又は、基礎の開口部の大きさに応じて筒体の開口を調整可能なように筒体を半割にして重ね合わせするか、又は蛇腹構造にするとよい。
【００１７】
請求項９記載の本発明は図１２，１５，１６、１７に示すように筒体の外面に周状に突起を設けた。その機能は、筒体の外面が平坦な場合、基礎工事の際、コンクリートと筒体の外周面とにわずかに隙間が発生する可能性が考えられ長期間に水が浸透するおそれもあるので、筒体の外周に一以上の突起を設けることによって、間隙を連続することなく筒体をコンクリート内に埋設することができる。
【００１８】
尚、虫等の侵入を防ぐ為に、請求項３から８記載の発明に、金網を防水機能付枠体や突起片、又は筒体や突片部に取り付けるとよい。金網の形状等については特に限定しなし。
【００１９】
以上、上述の本発明の止水機能付き床下換気口部品の形状は装着する換気口の形状に対応させればよい。現在採用されている換気口の形状は長方形、正方形または円形状のもが一般的である。
又、防水機能付枠体や蓋、筒等の材質は雨雪等で錆等が発生しないステンレスやアルミニユウム、または樹脂等が最適である。
特に、嵌合する蓋は柔軟でフイットする樹脂が優れている。例えば、最近市販されている某メーカの「食品、飲料水などの保存又は調理用容器蓋等」の登録商標であるフレックスフイットのように伸縮性に富み、且つ、記憶形状樹脂等がある。
又は、出来れば蓋の嵌合する溝部のみでも柔軟な樹脂を薦める。
【発明の効果】
【００２０】
上述のように、台風や集中豪雨時に発生する床下浸水を未然に防止する床下換気口用止水機能付き床下換気口部品を提供することによって、甚大な復旧工事費を無くすことが可能になり、その効果は絶大なものがある。
請求項１から４記載の止水機能付き床下換気口部品は既存の換気口に容易に設置でき、不要時には他の場所に保管できるので防水上の性能（樹脂が硬化しないこと。）も長期間期保持できる利点がある。しかし、その都度（洪水時）、ボルトで締め付けて固定しなければならない面倒な点もある。
請求項５〜９記載の発明は、新築時に設置するのが最適で、開閉が容易である。
尚、請求項３〜９記載の発明は、防水として使用する以外に、蓋の取り付けが極めて容易であるので、床下を保温する手段にも使用できる利点がある。特に、請求項５の引き戸式は便利である。
請求項８記載のように、筒体を内筒と外筒との二重構造にすることによって、建物の基礎幅に対応できるように調整可能にした。
更に、前述のように筒体を蛇腹方式にすれば容易に長さや幅の調整も可能である。これらは現場への適応性が増し新たな効果が期待できる。
又、請求項９記載のように、筒体の外面に周状に突起を設けることによって、筒体を基礎コンクリート内に埋設した際、基礎の外側から内側に連続した隙間が生じないようにして、水の浸入を防止できる。尚、突起の高さは、筒体の下面を高くした方が効果的である。（コンクリートの流し込む際に、間隙を発生さす危険性が減少する。）
尚、防水機能枠体や突起片、突片等部に虫の侵入を防ぐ金網等を取り付けた方が、コンクリート基礎換気口部に直接取り付ける方より点検整備等が容易になる。
上述の如く本発明は、長年に亘り誰しもが問題視しその必要性を感じていた。更に産業上利用可能性が顕著なものであるにも係わらず、当業者が容易に考え付かず成し得なかったことを本発明者が完成させたものでその効果は絶大なものがある。
【発明を実施するための最良の形態】
【００２１】
請求項１及び２記載の本発明は、洪水の際、事前にその都度取り付ける防水機能付枠体である。
その構造は、防水機能付枠体（１）をコンクリート基礎と密着させて水の浸入を防止する手段であって、該防水機能付枠体の構造は基板（２）に軟質なゴムや軟質な樹脂（３）が着設した、該基板をボルト等でコンクリート基礎面に固定させて換気口を閉塞するものである。
この固定さす手段は、換気口部に支持棒を固定させ、該支持棒と防水機能付枠体とを連結する係止機能付連結ボルトとで固定する。
尚、該支持棒には、
１・  単に鉄製の丸棒を基礎工事際、換気口部に取り付けておく手段と、
２・  長さを調整可能な支持棒を換気口部に取り付け、該支持棒に係止機能付連結ボ          ルトを引っ掛けて固定する手段とがある。
【００２２】
請求項３〜９記載の発明は、一度、設置すれば日頃の点検は必要としても、洪水時に止水板を戸のように閉めるか、又は蓋をすればよく、その対応は極めて容易な止水手段である。
上述の構造を、下記の実施例で詳細に説明する。
【実施例】
【００２３】
図１は、基板（２）の中央部以外に軟質なシリコーン樹脂（３）を着設させた防水機能付枠体（１）であって、該基板にはコンクリート基礎に打設したボルト（７）に固定さす複数個のボルト貫通用の穴（４）が基板の周辺に設けるが、
この場合、穴（４）を設置する際に現場合わせでボルトと同じ径を明けるのが最適である。
しかし事前に穴（４）を明けておく場合にはある程度大きくするとよい。その理由は、換気口部の大きさや取り付け位置は建物によって種々異なるため、位置調整が可能にするためである。
尚、穴部（４）を閉塞するには、予めパテ詰めした後、長方形のボルト貫通穴（６）を設けたゴムパッキン（５）を使用し締め付けてもよい。
但し、請求項１又は２記載の固定手段で固定する場合には、穴（４）は図４の様に枠体の中央部に設ける。
【００２４】
図２は、基板（２）の中央部以外に軟質なシリコーン樹脂を波状に着設した防水機能付枠体（１）であって、該枠体には固定さす複数個のボルト貫通用の穴（４）を設けるが、この穴は取付ける際に穴明けしてもよい。
波状にすることによって、密着性を局部的に強め水の浸透性を無くすためである。
尚、穴部（４）を閉塞するには長方形のパッキン（５）が必要である。
【００２５】
図３は、基板（２）の表面を波状に凹凸（８）を設け、該溝部（８）に波状にした軟質なシリコーン樹脂（３）を嵌着した防水機能付枠体（１）の断面図である。基板の表面を波状に加工した理由は、基板と樹脂とをより密着させて水の浸透を無くすためである。
【００２６】
図４はコンクリート基礎換気口部に支持棒を設けて固定さす請求項１又は２記載の防水機能付枠体であって、該防水機能付枠体の基板（２）の中央部以外には軟質なシリコーン性樹脂（３）を波状に成形して着設されていて、更に、基板（２）の中央部には前記係止機能付連結ボルトで固定さすために径をやや大きな穴（４）が左右上下に計４箇所設けてある。
やや大きな穴（４）を設けた理由は、前述のように開口部の大きさや位置が建物によって種々異なるため、ある程度異なる大きさの開口部にも適用できるように高さや幅等の位置の調整が可能にした。  但し、現場合わせの場合はボルト径の同じ穴（４）でよい。
尚、穴（４）部を閉塞するには大きな長方形のパッキン（５）を使用し該パッキンにはボルト貫通穴（６）が設けてある。
【００２７】
図５は、請求項1又は２記載の防水機能付枠体（１）を固定さすための長さ調整機能付支持棒と係止機能付連結ボルトの一例を示す。
長さ調整機能付支持棒（９）の構造は、  長めのボルト（９１）の先端に当板（９２）を自由自在に取り付け、更に該ボルトの他部にはナット（９３）を螺合させ、更に、ボルト（９１）が挿入する中空軸（９４）とナット（９３）とを接当させ、該中空軸（９４）の先端には心棒（９５）を接合させて、その先端に当板（９２）自由自在に取り付けた。
係止機能付連結ボルト（１０）の構造は、ボルト（１０２）の先端にＵ字状の係止部（１０１）を設けたものである。  該ボルトの係止部（１０１）を前記支持棒（９）に引っ掛けて、ボルトのネジ部を前記図４に示す防水機能付枠体（１）の穴（４）に通す。
【００２８】
該長さ調整機能付支持棒（９）と係止機能付連結ボルト（１０）を使用して防水機能付枠体を固定した状態を図６に示す。その取り付け方法は、
先ず、支持棒（９）を開口部に取り付ける。その手順はナット（９３）を回動さすことによって、中空軸（９４）を左右に移動させ、床下換気開口部に固定する。  尚、当板（９２）をボルト（９１）や心棒（９５）に自由自在に取り付けた理由は、コンクリート基礎の開口部の面が傾斜になっている場合もあるので、如何なる面でも密着さすためである。
該支持棒（９）の取り付け本数は開口部の大きさにもよるが、上下に２本取り付ける方が安定させて止水板（１）を固定さすことができ好ましい。
次に、係止機能付連結ボルト（１０）の係止部（１０１）を支持棒（９）のボルト（９１）部と中空軸（９４）部か又は心棒部（９５）に引っ掛ける。
その後、図示のように防水機能付枠体（１）の穴（４）に係止機能付連結ボルトのせん先端部（１０２）を通し、パッキン（５）を防水機能付枠体に当て、ボルト部にシールテープを巻いて、ナットで固定させる。
【００２９】
図１８は、図１、図２又は図３に示した防水機能付枠体（１）を基礎に打設したボル
ト（７）で固定させることも出来る参考斜視図である。
【００３０】
図７〜１０に示す実施例は、請求項３記載の本発明の構造である。
図７は、床下換気口の周辺を覆う防水機能付枠体（１７）の外周に突起片（１７１）の  先端部（１７２）外面を少し肉盛りし、蓋（１５）の内周に溝（１５１）を設け、前記  先端部（１７２）を前記溝（１５１）挿入させて嵌合し密着さす構造である。
尚、虫の侵入を防ぐ金網（１２４）を防止機能付枠体に取り付けた。
又、厚手の防水機能付枠体（１７）をコンクリート基礎に埋め込んだ状態を図示しる。
図８は、突起片（１７１）の立ち上がり縁面（１７４）を平坦にし、該縁面（１７４）に蓋（１５）の側壁先端部を鍔状（１５５）にして、該面（１５５）と前記縁面（１７４）とを密着させ、更に、突起片（１７１）の先端部（１７２）を蓋の溝（１５１）に挿入させ嵌合させる構造である。この場合も、突起片の側面（１７３）と蓋の側壁面（１５３）とは前記同様密着している。尚、虫の侵入を防ぐ金網（１２４）を防止機能付枠体に取り付けた。
又、防水機能付枠体（１７）は裏面に軟質なシリコーン樹脂（３）を着設させ、該面とコンクリートの基礎面とをボルト（７）で締め付け密着させた。
図９は、突起片（１７１）の立ち上がり縁面（１７４）を平坦にし、該平坦面の周辺に溝（１７５）を設け、該溝（１７５）に蓋の側壁先端部（１５４）を挿入し嵌合させ、更に、蓋の内側に溝（１５１）に突起片の先端（１７２）を挿入し嵌合させた。この場合も、突起片の側面（１７３）と蓋の側壁面（１５３）とは前記同様密着している。
防水機能付枠体の裏面に突片（１７７）を周設して、該突片と枠体とをコンクリート基礎に埋め込んだ。尚、虫の侵入を防ぐ金網（１２４）はコンクリート基礎の換気口部に設けた。
図１０は、突起片（１７１）に細いゴムパッキン（１６）を数本嵌合させ、該パッキンを嵌合した突起片（１７１）に蓋（１５）の側壁面（１５３）を強く嵌合させ密閉さす構造である。この場合、パッキンを嵌合さす突起片の外面を波状にしてパッキンを咬ますとシール性が増す。
防水機能付枠体の裏面に間隔をおいて突片（１７７）を立設して、該突片と枠体とをコンクリート基礎に埋め込んだ。  尚、虫の侵入を防ぐ金網（１２４）はコンクリート基礎の換気口部に設けた。
【００３１】
図１１は、請求項４記載の本発明の実施例を示す。
床下換気口の周辺を覆う防水機能付枠体（１７）の開口部外周に突起片（１７１）部を円形にし、突起片に施したネジ（１７６）と円形の蓋（１５）に施したネジ（１５２）とで螺合し水の侵入を防止する構造である。尚、突起片（１７１）に金網（１２４）を取り付けた。
該防水機能付枠体を換気口のコンクリート基礎面に取り付けた。
【００３２】
図１２は請求項５記載の本発明の実施例で防水機能付枠体の構造は、止水板（１２１）を引き戸の如く防水機能付枠体（１２２）の溝内を摺動させて床下換気口部を開閉するものであって、溝内にはゴムパッキン（１２３）が装着して防水機能を保たせてた枠体（１２２）である。  更に、止水板には左右に引く取手（１２５）を取り付けた。
該防水機能付枠体（１２２）を、両端部が開口した筒体（１４）の一端に鍔体を設け、該鍔体に前記防水機能付枠体（１２２）を固定した。  更に、該筒体の中央部に網（１２４）が張られて成る止水機能付き床下換気口部品（１２）である。
尚、止水板を閉めたときに、止水板と枠体と接する面にもシリコーン性シーリング材で防水すればより完全なものになる。
図１３は、請求項５記載の防水機能付枠体の断面を表す図である。
図１２で示す符号番号と図１３図で示す符号番号とが相違するが、構造、機能面においては相違ない。
【００３３】
図１４は、請求項６記載の発明の一実施例を示す。
ゴムのように伸縮性に富む材質で蓋を成形し、該蓋（１５）の側壁面（１５３）と防水機能付枠体（１７）の突起片（１７１）の側面（１７３）とを密着させ嵌合する構造である。
尚、蓋の側壁面（１５３）を波状にすることで伸縮力を増強させ緊張力を高めることによって密着度を高めている。
防水機能付枠体の裏面には、軟質なシリコーン樹脂（３）を波状に着設して、請求項５記載のような両端を開口した筒体（１４）の先端に鍔部（１４８）を設け、該鍔体に前記防水機能付枠体（１７）を取り付けた。尚、筒体の先端に金網（１２４）を取り付けた。
図示しないが、突起片の側面（１７３）と側壁面（１５３）とを波状にすればより密着性が増し防水効果が向上します。
尚、上述の止水機能付き床下換気口部品は、円形の換気口の方が全周を均一に強く密着でき優れている。
【００３４】
図１５、１６、１７は請求項７記載の発明に請求項８、９を採り入れた止水機能付き換気口部品の実施例を示す。
図１５は床下換気口に取り付ける両端を開口した筒体（１４）の端部（１４３）に防水機能付溝（１５１）を設けた蓋（１５）を嵌合した図である。
蓋（１５）を筒体（１４２）の端部（１４３）に装着されているが、その構造は、図示の如く筒体の端部をストレートに延伸した一端部（１４３）に、蓋（１５）の突起溝（１５１）が直接嵌合さす構造である。
筒体は（１４）は内筒（１４１）と外筒（１４２）との二重構造にし、建築基礎幅に調整可能にした。  尚、筒体には突起（１４６）と金網（１２４）を取り付けた。
図１６は、請求項７記載の他の実施例で、筒体（１４）の外筒（１４２）に鍔体（１４４）を設けその外部に突起片（１４５）を形成し、該突起片（１４５）に蓋（１５）の突起溝（１５１）が嵌合さす構造である。更に、鍔体と突起溝との接触面にはゴムパッキン（１６）を設けることによってシール性を高めることができる。
図１７は、請求項７記載の発明に請求項７，８を採り入れた実施例である。
二重構造の円形の筒体に鍔（１４４）を設け、外ネジ（１４７）を成形し、円形の蓋（１５）に内ネジ（１５２）を成形した、鍔面と蓋（１５）との接する面にゴムパッキン（１６）を挿入してある。又、下面の突起（１４６）は上面より高くした。
尚、金網（１２４）は筒体に取り付けた。
【００３５】
特に限定するものではないが、図８〜１１、１４〜１７に示すように、換気口面を周囲のコンクリート基礎面より凹ませた方が、突起片の先端が基礎面より外に出ず外観上よく見える。
従って、基礎コンクリート枠組み際、凹部になるように工夫するとよい。
換気口には円形や長方形のものが一般的であるが、上記の嵌合する蓋の場合は円形の方が全周を強く密着さすことが容易で優れている。
【図面の簡単な説明】
【００３６】
【図１】請求項１記載の本発明の止水機能付き床下換気口部品であって、基板に樹脂を平坦に着設した斜視図とＡ−Ａ切断端面図である。
【図２】請求項２記載の本発明の止水機能付き床下換気口部品であって、枠体の基板に樹脂を波状に着設した斜視図とＡ−Ａ切断端面図である。
【図３】請求項２記載の本発明の止水機能付き床下換気口部品であって、枠体の基板の表面を波状に凹凸を設け、その部に波状の樹脂を着設した断面図である。
【図４】請求項１又は２記載の止水機能付き床下換気口部品で、換気口の開口部内に支持棒を設けて固定さす場合に、該止水機能付き床下換気口部品の中央部にボルト貫通穴を設けた斜視図である。
【図５】図４に示す本発明の止水機能付き床下換気口部品を固定さすために、長さ調整機能付支持棒と係止機能付連結ボルトとの組合せ構造を示す斜視図である。
【図６】本発明の図４に示す止水機能付き床下換気口部品を、図５で示す長さ調整機能付支持棒と係止機能付連結ボルトを利用して固定した使用状態を示す斜視図である。
【図７】請求項３記載の本発明の止水機能付き床下換気口部品に虫の侵入を防ぐ金網を取付けた実施例の断面図である。
【図８】請求項３記載の本発明の止水機能付き床下換気口部品に虫の侵入を防ぐ金網を取付け    た実施例の断面図である。
【図９】請求項３記載の本発明の止水機能付き床下換気口部品に虫の侵入を防ぐ金網を取付けた実施例の断面図である。
【図１０】請求項３載の本発明の止水機能付き床下換気口部品に虫の侵入を防ぐ金網を取付けた実施例の断面図である。
【図１１】請求項４記載の本発明の止水機能付き床下換気口部品に虫の侵入を防ぐ金網を取付けた実施例の断面図である。
【図１２】請求項５記載の本発明の止水機能付き床下換気口部品に請求項９を採り入れた実施例の斜視図である。
【図１３】請求項５記載の本発明に使用する防水機能枠体の正面図とＡ−Ａ断面を示す図である。
【図１４】請求項６記載の本発明の止水機能付き床下換気口部品に虫の侵入を防ぐ金網を取付けた実施例の断面図である。
【図１５】請求項７記載の本発明の止水機能付き床下換気口部品で筒体の先端に蓋を嵌合させ請求項８，９の発明を採り入れ基礎に設置した状態を示す実施例の断面図である。
【図１６】請求項７記載の本発明の止水機能付き床下換気口部品で筒体の先端に蓋を嵌合させ請求  項８，９の発明を採り入れ基礎に設置した状態を示す実施例の断面図である。
【図１７】請求項７記載の本発明の止水機能付き床下換気口部品で筒体の先端に蓋を螺合させ請求項８，９の発明を採り入れ基礎に設置した状態を示す実施例の断面図である
【図１８】請求項１〜３記載の防水機構付枠体をコンクリート基礎に打設したボルトに固定した使用状態を示す参考斜視図である。
【符号の説明】
【００３７】
１        止水機能付き床下換気口部品の防水機能付枠体
２        基板
３        軟質なシリコーン樹脂
４        穴
５        ゴムパッキン
６        ボルト貫通用穴
７        基礎ボルト
８        基板に設けた凹凸
９        長さ調整機能付支持棒
９１      ボルト
９２      当板
９３      ナット
９４      中空軸
９５      心棒
１０      係止機能付連結ボルト
１０１    Ｕ字状の係止部
１０２    ボルト
１１１    引き戸の如く摺動する止水板
１１２    ゴムパッキン
１１３    溝
１１４    防止機能付枠体
１１５    アンカーボルト用穴
１２      止水板機能付き床下換気口部品
１２１    引き戸の如く摺動する止水板
１２２    防水機能付枠体
１２３    溝内パッキン
１２４    網
１２５    取手
１４      筒体
１４１    内筒
１４２    外筒
１４３    筒体の一端部
１４４    外筒の端部に設けた鍔体
１４５    鍔体に設けた突起片
１４６    筒体の外周に設けた円周状の突起
１４７    筒体にネジを成形
１４８    筒体の先端に設けた鍔体
１５      蓋
１５１    蓋の溝
１５２    蓋に内ネジを成形。
１５３    蓋の側壁面
１５４    側壁の先端
１５５    蓋の鍔
１５７    摘部
１６      ゴムパッキン
１７      防水機能付枠体
１７１    突起片
１７２    突起片の先端部
１７３    突起片の側面
１７４    立ち上がり縁面
１７５    縁面の溝
１７６    ネジ
１７７    枠体裏面の突片
【図１】
0004389109.tif 000002
【図２】
0004389109.tif 000003
【図３】
0004389109.tif 000004
【図４】
0004389109.tif 000005
【図５】
0004389109.tif 000006
【図６】
0004389109.tif 000007
【図７】
0004389109.tif 000008
【図８】
0004389109.tif 000009
【図９】
0004389109.tif 000010
【図１０】
0004389109.tif 000011
【図１１】
0004389109.tif 000012
【図１２】
0004389109.tif 000013
【図１３】
0004389109.tif 000014
【図１４】
0004389109.tif 000015
【図１５】
0004389109.tif 000016
【図１６】
0004389109.tif 000017
【図１７】
0004389109.tif 000018
【図１８】
0004389109.tif 000019